(57)【特許請求の範囲】
【請求項１】
USB2.0またはUSB3.0のフラッシュメモリに使用され、Mac OS X v10.4バージョン及びその後続バージョンに適用されるユーザーインターフェースデバイスの自動操作過程であって、
その実行方法は、
ＩＣ回路モジュールの複数金属タッチポイントがコンピュータのソケットに電気的に接続
されるステップ１と、
コンピュータがＩＣ回路モジュールに対して識別を行うステップ２と、
ＩＣ回路モジュールのコントロール素子のユーザーインターフェースデバイスモジュールがコンピュータがユーザーインターフェースデバイスに接続したことに応答するステップ3と、
前記自動キーインモジュールがCommandキー及びSpace barキーのキーイン指令を出すか、Ctrlキー及びSpace barキーのキーイン指令を出すことで、検索ダイアログボックスを開き、前記検索ダイアログボックスを入力状態にするステップ４と、
前記自動キーインモジュールが、前記検索ダイアログボックス中に、type:safari.appの文字列をキーインする指令を出し、さらにEnterキーの指令をキーインするステップ５と、
ステップ6に基づき、特定ブラウザを起動させるステップ６と、
前記自動キーインモジュールが、Commandキー及びLキーのキーイン指令を出すことで、前記特定ブラウザのアドレスを入力状態にするステップ７と、
前記アドレス中、前記自動キーインモジュールが、特定アドレスの文字列をキーインすることを指示し、さらに、Enterキーの指令をキーインすることで、前記特定アドレスのホームページに接続するステップ８と、
ＩＣ回路モジュールがDP（D+）電圧を低下させて、ＩＣ回路モジュールをオフロード状態にするステップ９とを備えることを特徴とするユーザーインターフェースデバイスの自動操作過程。
【請求項２】
ステップ４の前または後に、前記コントロール素子の自動キーインモジュールに英数字キーのキーイン指令を出させるステップを追加することで、日系キーボードに適用させることを特徴とする請求項１に記載の自動実行式のフラッシュメモリの実行方法。
【請求項３】
ステップ８の後に、前記ホームページの入力ボックスを入力状態にすることで、前記自動キーインモジュールに第一特定データの文字列のキーイン指令を出させることを特徴とする請求項１に記載の自動実行式のフラッシュメモリの実行方法。
【請求項４】
前記自動キーインモジュールに、続いて少なくとも１個のTabキーのキーイン指令を出させ、次に第二特定データの文字列のキーイン指令を出させることを特徴とする請求項３に記載の自動実行式のフラッシュメモリの実行方法。
【請求項５】
ステップ８の後に、前記自動キーインモジュールに、続いてCommandキー及びPキーのキーイン指令を出させ、さらに、Enterキーのキーイン指令を出させることで、前記ホームページをプリントアウトすることを特徴とする請求項１に記載の自動実行式のフラッシュメモリの実行方法。
【請求項６】
前記ＩＣ回路モジュールは、USBデータ転送インターフェースに適合するオス側コネクタのプラグであることにより、前記金属タッチポイントを介してコンピュータのUSBデータ転送インターフェースのソケットに電気的に接続されることを特徴とする請求項１に記載の自動実行式のフラッシュメモリの実行方法。
【発明の詳細な説明】
【技術分野】
【０００１】
本発明は、ユーザーインターフェースデバイスの自動操作過程に関し、特に、USB2.0またはUSB3.0のフラッシュメモリに適用するユーザーインターフェースデバイスの自動操作過程に関する。
【背景技術】
【０００２】
インターネット時代の到来に伴い、情報シェアのスピードアップが図られ、ＩＴ技術の普及や進歩もさらに進みつつある。コンピュータ（computer）、通信（Communications）及び大衆消費電子製品（Consumer-Electronics)等の製品は、いずれも現代人の生活に広く浸透している。
【０００３】
日常生活において、コンピュータ、携帯電話等の各種電子機器は、すでに個人、家庭、企業から政府機関に至るまで、普遍的に利用されており、それらの情報は、インターネットを介して処理される。その内容は、衣、食、住、旅行や交通、教育、さらに娯楽等に至るまで多岐にわたっている。
【０００４】
例を挙げれば、専属のサイトやブログを立ち上げた場合の情報のやり取りや展示のプラットホーム、ネット販売（ショッピング）、ネットオークション等を行う際の商品やサービスの宣伝、販売（バーチャル）のためのプラットホーム、さらには、ネットバンク、オンラインゲーム、ネット上でバーチャルコインやポイントを交換するサイトのような新しいプラットホームとして使用されている外、またさらには、公的機関の電子認証サービスシステムのように、インターネットを介して、所得税納税、個人データの保護または各種費用納付、職歴記録明細等の事務等の政府関連事務を行ったりする。
【０００５】
これらのやり取りの過程では、往々にして金銭、利益または個人データ（例えば、口座番号、暗証番号）のやり取りに関わるため、これらの価値を有するデータ情報は随時犯罪者に利用される危険性を有する。一般的には、これらの犯罪者は、画面の盗撮、トロイの木馬によるクラッキング、ハッキング、フィッシングサイト(Phishing Site)や悪質ソフトウェア(malicious software)による不法アクセス等の方法によって、他人のデータ情報を取得して、情報を売買したり犯罪に利用したりする。
【０００６】
情報保護担当者は、ユーザーの重要データ情報がインターネット上でやり取りされる過程で不正入手されるのを回避するために様々な対応を行っているものの、その方法は往々にして特定の攻撃手段に対してのみで、完全に上述の犯罪行為に大して完全に対処することは不可能である。
【０００７】
また、USBフラッシュメモリは、軽薄短小の特性を有して、移動性に優れているため、これまで主にデータの保存や読み取り、伝送に運用されて来たが、インターネット使用環境における安全性またはネットマーケティング等における使用状況は適切であるとは言えない。
【０００８】
このため、上述の問題を鑑み、ユーザーに良好なインターネット環境を提供して、ネット環境の安全性及びネットマーケティング等の問題を解決し、ユーザーが安心して利用できるネット環境を提供する必要がある。
【先行技術文献】
【特許文献】
【０００９】
【特許文献１】特開平７−２２５７９８号公報
【発明の概要】
【発明が解決しようとする課題】
【００１０】
したがって、本発明は、ユーザーに良好なインターネット環境を提供して、ネット環境の安全性及びネットマーケティング等の問題を解決するユーザーインターフェースデバイスの自動操作過程を提供することを課題とする。
【課題を解決するための手段】
【００１１】
上記課題を解決するために、本発明は、USB2.0またはUSB3.0のフラッシュメモリに適用するユーザーインターフェースデバイスの自動操作過程を提供することを目的とする。本発明のユーザーインターフェースデバイスの自動操作過程は、Mac OS X v10.4バージョン及びその後続バージョンを有するコンピュータに電気的に接続されると、前記コンピューターはユーザーの操作を介さずに、自動実行によりブラウザのプログラムが起動されると同時に、特定サイトアドレスまたは特定登録データが自動キーインされて、特定サイトへの自動リンクを完了させる機能を備えることを特徴とする。前記自動リンク機能が完了されると、前記ユーザーインターフェースデバイス(Human Interface Devices，HID)が、前記コンピュータとの接続信号を切断して、前記ユーザーインターフェースデバイスをオフロードの状態にすることで、前記コンピュータがオフになっても引き続き前記ユーザーインターフェースデバイスの実行過程を探知することが可能である。
【００１２】
したがって、本発明のユーザーインターフェースデバイスの自動操作過程は、他人が悪質な手段でユーザーのデータ情報を不正入手するのを回避することで、ユーザーのデータ情報の安全を保護して、個人情報及びインターネット使用における安全性を確保する。    
【００１３】
さらに、本発明の自動実行式のフラッシュメモリの実行方法は、いかなる特定の登録データ（例えば、アカウント、パスワード）やアドレスを記憶しなくても、特定ブラウザを介して、特定サイトの内容を閲覧することができて、ユーザーが登録データを忘れたり、遺失したりする問題がなく、インターネット利用における利便性を高める。
【００１４】
またさらに、本発明の自動実行式のフラッシュメモリの実行方法は、ユーザーが  いかなる特定の登録データ（例えば、アカウント、パスワード）またはサイトアドレスを記憶しなくても、特定ブラウザを介して、特定サイトの内容を閲覧することができて、ユーザーがインターネットを使用する際の利便性を高める。このため、業者にとって、ネットマーケティングを効果的に進めることが可能である。
【００１５】
またさらに、本発明の自動実行式のフラッシュメモリの実行方法は、前記自動リンク機能が完了すると、前記ユーザーインターフェースデバイスが  前記コンピュータの接続信号を切断して、前記ユーザーインターフェースデバイスをオフの状態にすることで、前記コンピュータが前記コンピュータがオフになっても引き続き前記ユーザーインターフェースデバイスの実行過程を探知することが可能であるため、コンピュータが前記ユーザーインターフェースデバイスを探知する時、コンピュータの出力装置上に「Keyboard Setup Assistant」というダイアログボックスが表示されることで、ユーザーが操作する際に邪魔になることがない上、システム資源の無駄を回避する。
【００１６】
上記目的を達成するため、本発明が使用する主な技術手段は、以下の技術方案を採用して実現させる。
【００１７】
本発明に記載のユーザーインターフェースデバイスの自動操作過程は、Mac OS X v10.4バージョン及びその後続バージョンに適用される。その実行方法は、以下のステップを備える。ステップ1：ＩＣ回路モジュールの複数金属タッチポイントがコンピュータのソケットに電気的に接続される。ステップ2：コンピュータがＩＣ回路モジュールに対して識別を行う。ステップ3：ユーザーインターフェースデバイスモジュールがコンピュータがユーザーインターフェースデバイスに接続したことに応答する。ステップ4：前記自動キーインモジュールがCommandキー及びSpace barキーのキーイン指令を出すか、Ctrlキー及びSpace barキーのキーイン指令を出すことで、検索ダイアログボックスを開き、前記検索ダイアログボックスを入力状態にする。ステップ5：前記自動キーインモジュールが、前記検索ダイアログボックス中に、type:safari.appの文字列をキーインする指令を出し、さらにEnterキーの指令をキーインする。ステップ6：前記コンピュータは、ステップ6に基づき、特定ブラウザを起動させる。ステップ7：前記自動キーインモジュールが、Commandキー及びLキーのキーイン指令を出すことで、前記特定ブラウザのアドレスを入力状態にする。ステップ8：前記アドレス中、前記自動キーインモジュールが、特定アドレスの文字列をキーインすることを指示し、さらに、Enterキーの指令をキーインすることで、前記特定アドレスのホームページに接続する。ステップ9：ＩＣ回路モジュールがDP（D+）電圧を低下させて、ＩＣ回路モジュールをオフロード状態にする。
【００１８】
本発明の目的及び従来の技術が有する問題を解決するために、さらに、以下の技術方法のステップを採用することによりこれを実現する。
【００１９】
前述の自動実行式のフラッシュメモリの実行方法のうち、ステップ４の前または後に、前記コントロール素子の自動キーインモジュールに英数字キーのキーイン指令を出させるステップを追加することで、日系キーボードに適用させる。
【００２０】
前述の自動実行式のフラッシュメモリの実行方法のうち、ステップ８の後に、前記ホームページの入力ボックスを入力状態にすることで、前記自動キーインモジュールに第一特定データの文字列のキーイン指令を出させる。
【００２１】
前述の自動実行式のフラッシュメモリの実行方法のうち、前記自動キーインモジュールに、続いて少なくとも１個のTabキーのキーイン指令を出させ、次に第二特定データの文字列のキーイン指令を出させる。
【００２２】
前述の自動実行式のフラッシュメモリの実行方法のうち、ステップ８の後に、前記自動キーインモジュールに、続いてCommandキー及びPキーのキーイン指令を出させ、さらに、Enterキーのキーイン指令を出させることで、前記ホームページをプリントアウトする。
【００２３】
前述の自動実行式のフラッシュメモリの実行方法のうち、前記ＩＣ回路モジュールは、USBデータ転送インターフェースに適合するオス側コネクタのプラグであることにより、前記金属タッチポイントを介してコンピュータのUSBデータ転送インターフェースのソケットに電気的に接続される。      
【００２４】
従来の技術に比べて、本発明がMac OS X v10.4バージョン及びその後続バージョンのコンピュータに電気的に接続された時、前記コンピュータは、ユーザーの操作を必要とせずに、自動実行でブラウザのプログラムを起動させると同時に、特定サイトアドレスまたは特定登録データの自動キーイン(同時に読み込む)を行い、さらに、前記動作後に自動的にオフロードの動作を完了させる。
【発明の効果】
【００２５】
このため、本発明は、(1) 他人がユーザーのデータ情報を不正取得するのを防止することで、ユーザーのデジタル情報の安全性を保障して、インターネット使用の際の安全性を確保する効果を有する。(2)ユーザーは、いかなる特定の登録データ（例えば、アカウント、パスワード）またはサイトアドレスをも覚える必要がなく、ただちに特定ブラウザを介して特定サイトアドレスの内容を閲覧できて、ユーザーが登録データを忘れたり、遺失したりする問題が発生せず、インターネット使用における利便性を高める。(3)ユーザーは、いかなる特定の登録データ（例えば、アカウント、パスワード）またはサイトアドレスをも記憶する必要がなく、特定ブラウザを介して特定サイトアドレスの内容を閲覧することが可能であるため、ユーザーは後続のインターネット作業が便利に行えることで、業者にとっては効果的にネットマーケティングを展開させることができる。 (4)また、指定動作完了後、本発明は自動的にオフロードの状態となり、コンピュータが引き続き探知する行為を停止させることで、コンピュータが本発明を探知した時、コンピュータの出力装置上に「Keyboard Setup Assistant」というダイアログボックスが表示されて、ユーザーが操作する際に邪魔にならず、さらに、システム資源の無駄を回避する。
【図面の簡単な説明】
【００２６】
【図１】本発明のユーザーインターフェースデバイスの自動操作過程における主な実施型態のＩＣ回路モジュールの断面図である。
【図２】本発明のユーザーインターフェースデバイスの自動操作過程における主な実施型態のＩＣ回路モジュールがコンピュータのＵＳＢポートソケットに挿入されて電気的に接続した状態を示した断面図である。
【図３】本発明のユーザーインターフェースデバイスの自動操作過程における主な実施型態を示したブロック図である。
【図４】本発明のユーザーインターフェースデバイスの自動操作過程における主な実施型態の実行フロー図である。
【発明を実施するための最良の形態】
【００２７】
本発明の目的、特徴及び効果をわかりやすく説明するために、以下に、本発明の好適な実施形態を示す。
【００２８】
図1から図４に示したのは、本発明のユーザーインターフェースデバイスの自動操作過程の過程である。本発明のユーザーインターフェースデバイスの自動操作過程は、Mac OS X v10.4バージョン及びその後続のバージョンに適用する主な実施形態である。先ず、図1から図３を参照しながら説明する。本発明は、ＩＣ回路モジュール（10）を備え、前記ＩＣ回路モジュールは、基板（11）、少なくとも１個のメモリチップ（12）、すくなくとも１個のコントロール素子（13）及び複数の金属接点（14）を含む。このうち、メモリチップ（12）及びコントロール素子（13）は、基板（11）の内表面（111）に設置され、金属接点（14）は、基板（11）の外表面（112）に設置されて、且つ、メモリチップ（12）、コントロール素子（13）及び金属接点（14）は、基板（11）を介して電子回路に電気的に接続される。
【００２９】
好適には、ＩＣ回路モジュール（10）は、USBデータ転送インターフェースのオス側コネクタに互換性を有するものが好ましい。このうち、前記金属接点（14）は、コンピュータ（2）のＵＳＢデータ転送インターフェースのメス側コネクタソケット（20）に用いられる。
【００３０】
さらに、メモリチップ（12）は、デジタルデータの読み取り／書き込みに供し、本実施形態においては、主に、複数のキーインデータ（121）を保存するのに用いられる。このうち、前記キーインデータ（121）は、Commandキー及びSpace barキーのキーイン指令の順序通りか、または、Ctrlキー及びSpace barキーのキーイン指令の順序通りか、type:safari.appの文字列及びEnterキーのキーイン指令の順序通りか、Commandキー及びLキーのキーイン指令の順序通りか、特定サイトアドレスの文字列及びEnterキーのキーイン指令の順序通りか、第一特定データの文字列のキーイン指令の順序通りか、少なくとも１個のTabキー及び第二特定データ文字列のキーイン指令の順序通りか、または、Commandキー及びP鍵キー及びEnterキーのキーイン指令の順序通りに行なわれる場合を含む。
【００３１】
また、コントロール素子（13）は、メモリチップ（12）と金属タッチポイント（14）の間に電気的に接続されて、データの流入と流出を指令し、コントロールする。前記コントロール素子（13）は、ユーザーインターフェースデバイスモジュール（131）及び自動キーインモジュール（132）を含む。このうち、自動キーインモジュール（132）は、前記メモリチップ（12）に保存されたキーインデータ（121）のいずれかの一つを読み取って、データの流入と流出の指令及びコントロールを判断する。
【００３２】
次に、図４を参照する。MACコンピュータの場合、全ての文字の一つずつが、国別の言語系統によって異なり、そのMACコンピュータのキーボード(HID)上の位置も異なる。また、国別の言語系統が異なることで、文字また符号のキーボードの配置も異なる。このため、文字または符号の一つずつが対応するキーコード(keycode)は、国別の言語系統によって異なる。これにより、ユーザーインターフェースデバイスモジュール（131）は、国別で使用されるキーボードの配置によってあらかじめ文字または符号とコードの関係が定義づけられている。本実施形態の場合、ユーザーインターフェースデバイスモジュール（131）は、日系キーボードの配置によって、あらかじめ文字または符号とコードの関係が定義づけられている。
【００３３】
さらに、本発明の実行ステップは、「USB Implementers Forum，USB-IF」が定めるUSB 2.0標準によって説明するが、USB 2.0に限るものではない。
【００３４】
簡単に言えば、USB 2.0データ転送インターフェースは、4本の金属接点（14）を有し、それぞれ設置（Ground）、電源入力（VCC）及び差動信号用（DP（D+）及DM（D-））である。このうち、DMとDPは、データの転送に用いられる。
【００３５】
本発明のＩＣ回路モジュール（10）の複数の金属接点（14）が、コンピュータ（2）のＵＳＢポートソケット（20）（ステップ1：301）に電気的に接続されると、ＩＣ回路モジュール（10）がDP（D+）電圧を上げて、DP及びDMにJ状態（J state）を維持させる。コンピュータ（2）がJ状態を探知すると、前記ＩＣ回路モジュール（10）に対して識別を開始することで、接続された設備が、その形態であるかを確認する（ステップ2：302）。次に、ＩＣ回路モジュール（10）のコントロール素子（13）のユーザーインターフェースデバイスモジュール（131）が、コンピュータ（2）がヒューマンインターフェースデバイス（Human Interface Device（HID)）に接続したことを応答する（ステップ3：303）。本実施形態において、ユーザーインターフェースデバイスモジュール（131）は、バーチャルキーボードである。
【００３６】
USB 2.0データ転送は標準規範であるため、本発明では、USB 2.0の差動信号（DP（D+）及DM（D-））データ転送の規則については詳述せず、本発明の動作方法についてのみ説明する。
【００３７】
コンピュータ（2）が、ＩＣ回路モジュール（10）がユーザーインターフェースデバイスであると確認すると、コントロール素子（13）の自動キーインモジュール（132）が、Commandキー及びSpace barキーのキーイン指令を出すか、または、Ctrlキー及びSpace barキーのキーイン指令を出すことで、検索ダイアログボックスを開けて、前記検索ダイアログボックスを入力状態にする（ステップ4：304）。次に、前記自動キーインモジュール（132）が、前記検索ダイアログボックス中に、type:safari.appの文字列のキーイン指令を出し、さらに、Enterキーのキーイン指令を出す（ステップ5：305）。次に、コンピュータが特定ブラウザを起動する（ステップ6：306）。本実施形態においては、safariブラウザの場合を例にする。次に、自動キーインモジュール（132）が、Commandキー及びLキーのキーイン指令を出すことで、前記特定ブラウザのサイトアドレスを入力状態にする（ステップ7：307）。好適には、自動キーインモジュール（132）は、Commandキー及びLキーを2回または2回以上連続キーインする指令を出して、サイトアドレスに入力状態を維持させることが望ましい。次に、自動キーインモジュール（132）は、特定サイトアドレスの文字列を、前記サイトアドレス中にキーインして、さらに、Enterキーのキーイン指令を出すことで、前記特定サイトアドレスの文字列のホームページにリンクさせる（ステップ8：308）。ステップ8の後、ＩＣ回路モジュール（10）は、DP（D+）電圧を下げて、ＩＣ回路モジュールをオフロードの状態にして（ステップ9：309）、コンピュータが前記ＩＣ回路モジュール（10）を探知する時、コンピュータの出力装置上に「Keyboard Setup Assistant」という名称のダイアログボックスを表示させて、ユーザーのコンピュータ操作において邪魔にならない上、さらに、システム資源の無駄を回避する。
【００３８】
また、日系キーボードの場合、ステップ4の前か後に、前記コントロール素子の自動キーインモジュールに、英数文字キーのキーイン指令を出させるステップ（310）を追加することで、日系キーボードに適用する。
【００３９】
さらに、ステップ8の後に、好適には、さらにホームページの入力ボックスを入力状態にして、自動実行式のフラッシュメモリの実行方法動キーインモジュール（132）に、第一特定データの文字列をキーインする指令を出させて、さらに、自動キーインモジュール（132）に、少なくとも１個のTabキーのキーイン指令を出させるか、第二特定データの文字列をキーインする指令を出させるかすることが望ましい。詳細には、キーインする第一特定データの文字列はユーザーのＩＤで、キーインする第二特定データの文字列はユーザーのパスワードである。
【００４０】
または、ステップ8の後、自動キーインモジュール（132）に、Commandキー及びPキーのキーイン指令を出させて、さらに、Enterキーのキーイン指令を出させると、ホームページの印刷が行なえる。
【００４１】
本発明の主な実施形態に記載された内容により、本発明のユーザーインターフェースデバイスの自動操作過程は、特に、USB2.0またはUSB3.0のフラッシュメモリのユーザーインターフェースデバイスの自動操作過程に運用され、ユーザーが本発明をMac OS X v10.4バージョン及びその後続バージョンに適用するコンピュータに電気的に接続されると、前記コンピュータは、ユーザーの操作を必要とせずに、ブラウザを自動的に実行して、さらに、特定サイトのアドレスを自動キーインするか、または、特定登録データの動作をキーインする。前記自動リンク機能が完了した後、本発明は、自動的にオフロードの状態になり、前記コンピュータが引き続き探知するのを回避する。
【００４２】
本発明は、ユーザーが手動によりいかなるデータ情報をも入力する必要がなく、ただちに自動で特定サイトアドレスにアクセスする動作を完了させるため、(1) 他人がユーザーのデータ情報を不正取得するのを防止することで、ユーザーのデジタル情報の安全性を保障して、インターネット使用の際の安全性を確保する効果を有する。(2)ユーザーは、いかなる特定の登録データ（例えば、アカウント、パスワード）またはサイトアドレスをも覚える必要がなく、ただちに特定ブラウザを介して特定サイトアドレスの内容を閲覧できて、ユーザーが登録データを忘れたり、遺失したりする問題が発生せず、インターネット使用における利便性を高める。(3)ユーザーは、いかなる特定の登録データ（例えば、アカウント、パスワード）またはサイトアドレスをも記憶する必要がなく、特定ブラウザを介して特定サイトアドレスの内容を閲覧することが可能であるため、ユーザーは後続のインターネット作業が便利に行えることで、業者にとっては効果的にネットマーケティングを展開させることができる。 (4)また、指定動作完了後、本発明は自動的にオフロードの状態となり、コンピュータが引き続き探知する行為を停止させることで、コンピュータが本発明を探知した時、コンピュータの出力装置上に「Keyboard Setup Assistant」というダイアログボックスが表示されて、ユーザーが操作する際に邪魔にならず、さらに、システム資源の無駄を回避する。
【００４３】
以上、本発明の実施例を図面を参照して詳述してきたが、具体的な構成は、これらの実施例に限られるものではなく、本発明の要旨を逸脱しない範囲の設計変更などがあっても、本発明に含まれる。
【符号の説明】
【００４４】
10  ＩＣ回路モジュール
11  基板
111  内表面
112  外表面
12  メモリチップ
121  キーインデータ
13  コントロール素子
131  ユーザーインターフェースデバイスモジュール
132  自動キーインモジュール
14  金属接点
2  コンピュータ
20  ＵＳＢポートソケット
301  ＩＣ回路モジュールの複数金属接点がコンピュータのＵＳＢポートソケットに挿入される。
302  コンピュータがＩＣ回路モジュールに対して識別を行う。
303  ユーザーインターフェースデバイスモジュールがコンピュータがユーザーインターフェースデバイスに接続したことに応答する。
304  検索ダイアログボックスを開き、前記検索ダイアログボックスを入力状態にする。
305  type:safari.appの文字列をキーインし、さらにEnterキーの指令をキーインする。
306  特定ブラウザを起動させる。
307  前記特定ブラウザのアドレスを入力状態にする。
308  前記特定サイトアドレスのホームページに接続する。
309  DP（D+）電圧が低下してＩＣ回路モジュールをオフロード状態にする。
310  自動キーインモジュールが英数字キーのキーイン指令を出す。
【図１】
0005602265.tif 000002
【図２】
0005602265.tif 000003
【図３】
0005602265.tif 000004
【図４】
0005602265.tif 000005